(57)【要約】【課題】加熱ロールを加熱する複数の加熱用ランプを、スパーク等の発生のない安定した状態で、しかも位置的に正しい状態で簡便に取り付けることができる定着装置を提供する。【解決手段】複数の加熱用ランプ４０、５０をその両端部で一対の保持部材６０Ａ，６０Ｂにて保持して平行な状態にする。その一体化した加熱用ランプ４０、５０を加熱ロール２０の内部空間に設置するように挿入し、保持部材６０Ａ，６０Ｂの少なくとも一部を支持部材７０、８０に嵌め込んで支持させることで、加熱ロール２０の内部に取り付ける。そして、一方の保持部材６０Ａに当該保持部材を該当する支持部材７０に支持させる際に併せて嵌め込む突起６２を設け、その該当する支持部材７０に当該突起６２のみが嵌め込まれる突起受部７３を設けた。【選択図】　　図１
2004145210.tif 000002
【特許請求の範囲】
【請求項１】
記録媒体に形成される未定着像を定着させる定着回転体と、この定着回転体を加熱する管形態からなる複数の加熱用ランプと、この複数の加熱用ランプを平行な状態で配置するためその各ランプの両端部をそれぞれ同時に保持する一対の保持部材と、この一対の保持部材の少なくとも一部が嵌め込まれて支持される取付け部を備えた支持部材とを有する定着装置であって、
前記一対の保持部材の少なくとも一方またはその保持部材が支持される側の前記支持部材に当該保持部材を当該支持部材に支持させる際に併せて嵌め込む突起を設け、かつ、その突起を形成しない当該支持部材または当該保持部材にその突起のみが嵌め込まれる突起受部を設けることを特徴とする定着装置。
【請求項２】
前記一対の保持部材の少なくとも一方をその他方の保持部材のある側にむけて弾性的に押し付ける押付け部材を具備する請求項１に記載の定着装置。
【請求項３】
前記定着回転体の端部側に取り付けるカバーを具備する場合、前記押付け部材が、そのカバーに設けられかつそのカバーを取り付けた際に前記保持部材の一部に弾性をもって当接する当接部材である請求項２に記載の定着装置。
【請求項４】
前記押付け部材が、前記保持部材において前記加熱用ランプの端部と電気的に接続固定される弾性変形可能な給電コードであって、その給電コードを前記保持部材と対向して存在する固定部材に湾曲させて押し付けるような状態に保持し、その湾曲した給電コード部分で発生する弾力により当該保持部材を他方の保持部材側にむけて押し付ける請求項２に記載の定着装置。
【請求項５】
前記支持部材の取付け部とその取付け部に嵌め込む前記保持部材の部位とを、前記加熱用ランプの長手方向に沿う直線を軸にして回転する方向に変位し得る隙間が存在する関係にある嵌め合い形状に形成する請求項１〜４のいずれかに記載の定着装置。
【発明の詳細な説明】
【０００１】
【発明の属する技術分野】
本発明は、主に電子写真方式、静電記録方式等を利用したプリンタ、複写機、ファクシミリ、複合機等の画像形成装置に使用される定着装置に係り、特に、その定着装置における定着回転体を加熱する管形態からなる複数の加熱用ランプの取付け構造に関するものである。
【０００２】
【従来の技術】
従来、複数の加熱用ランプにより加熱されるロール形態等の定着回転体を有する定着装置においては、その複数の加熱用ランプの取付け構造として次のようなものが提案されている。
【０００３】
すなわち、かかる取付け構造とは、図１５に示すように、加熱ロール１００を加熱する２つの管型白熱電球１１０、１２０について、その各電球の一端部（封止部）１１０ａ、１２０ａをセラミックベース１３０で固定したうえでそのベース１３０を加熱ロールの固定部２００に適宜手段により固定し、その各電球の他端部１１０ｂ、１２０ｂを当該各端部から延び出た外部リード棒１１１、１２１を１つの板状給電素子１４０に接続したうえでその給電素子１４０を加熱ロールの取付け部２１０にネジ２３０で固定し、これにより互いに並行となるように取り付けるものである（特許文献１）。
【０００４】
【特許文献１】特開２００２−２５１９８４号公報
【０００５】
【発明が解決しようとする課題】
しかしながら、このような取付け構造を採用した定着装置にあっては、以下のような課題がある。
【０００６】
まず、複数の加熱用ランプの端部を前記したような板状の給電素子を介してネジ止めする場合は、そのネジの締め付け状態に不良があると、給電端子や固定部等の間に不要な隙間が形成されるため、かかる隙間等において給電時にスパーク等が発生するおそれがある。この給電素子と固定部の間に形成される隙間としては、加熱用ランプが捩れた位置関係にある場合などに、そのねじれに応じた応力がネジ止めされる給電素子に加わることにより給電素子が変形して固定部から浮き上がることで形成されるものもある。
【０００７】
また、そのセラミックベース１３０や給電素子１５０により一体化された加熱用ランプ１１０、１２０は、通常、図１６ａに示すように加熱ロール１００とこれに圧接される圧接部材（加圧ロールなど）との圧接部（定着ニップ部）を通過する記録用紙の搬送方向（図中の矢印Ｘ方向）とほぼ平行した状態となるように配置されるが、図１６ｂに例示するように誤ってその一体化された加熱用ランプ１１０、１２０が上記搬送方向に対する前後位置が逆になった状態（一体化されたランプ体をその長手方向に沿う直線を軸にして回転させて裏返したような状態）で取り付けられてしまう可能性がある。特に、その複数の電源ランプがその加熱条件を異ならせた構成のものを組み合わせて使用する場合には、その加熱条件の異なる加熱用ランプが正規の状態で配置されないこと（取付けミス）となり、この結果、加熱ロールを予定した条件で正しく加熱することができなくなる。
【０００８】
本発明は、このような課題を解決するためになされたものであり、その主な目的とするところは、定着回転体を加熱する複数の加熱用ランプを、スパーク等の発生のない安定した状態で、しかも位置的に正しい状態で簡便に取り付けることができる定着装置を提供することにある。
【０００９】
【課題を解決するための手段】
本発明の定着装置は、記録媒体に形成される未定着像を定着させる定着回転体と、この定着回転体を加熱する管形態からなる複数の加熱用ランプと、この複数の加熱用ランプを平行な状態で配置するためその各ランプの両端部をそれぞれ同時に保持する一対の保持部材と、この一対の保持部材の少なくとも一部が嵌め込まれて支持される取付け部を備えた支持部材とを有する定着装置であって、前記一対の保持部材の少なくとも一方またはその保持部材が支持される側の前記支持部材に当該保持部材を当該支持部材に支持させる際に併せて嵌め込む突起を設け、かつ、その突起を形成しない当該支持部材または当該保持部材にその突起のみが嵌め込まれる突起受部を設けることを特徴とするものである。
【００１０】
このような定着装置では、複数の加熱用ランプが、その各両端部を１対の保持部材でそれぞれ保持することにより一体化され、その各保持部材の少なくとも一部を支持部材の取付け部にそれぞれ嵌め込んで支持させることにより取り付けられる。これにより、複数の加熱用ランプは、その両端部における保持部材を介して取り付けられことになって、従来技術のように給電端子を介して取り付けられることがないため、給電端子を介した取付け構造の場合におけるような前述のごときネジの締付け不良やランプの捩れた位置関係による応力等に起因したスパーク等の発生がない、安定した状態で取り付けられるようになる。
【００１１】
しかも、その複数の加熱用ランプの取付け時（組み付け時）には、一対の保持部材の少なくとも一方またはその保持部材が支持される側の支持部材に形成された突起が、その突起と対応する突起受部に嵌め込まれることによってのみ取り付けられることとなる。これにより、複数のランプをその前後位置が逆になるような状態で誤って取り付けようとしても、突起が突起受部に嵌め込まれないこととなるため、その配置状態での取付けができず間違っていることがわかる。この結果、複数のランプを位置的に正しい状態で簡便に取り付けることができる。この定着装置において複数のランプの前後位置が逆になるような取付けとしては、従来技術で説明したようにランプの長手方向に沿う直線を軸にして回転させて裏返した状態で取り付ける場合のほか、ランプ両端部における一対の保持部材を装置のフロント側およびリア側で逆にした状態で取り付けるような場合もある。
【００１２】
また、上記の定着装置においては、その複数の加熱用ランプがその各両端部を保持する一対の保持部材を支持部材の取付け部に嵌め込むことにより支持させる取付け構造であるため、その部品公差やねじれ状態等の存在を見込んで取付け作業のしやすさを確保する等の観点から、かかる保持部材と支持部材の取付け部との間にランプの長手方向における距離的遊び（若干の隙間）を確保しておく必要がある場合もある。この場合には、各保持部材と支持部材の間における隙間がある分だけ、加熱用ランプがその長手方向に変位してしまう（動いてずれてしまう）おそれがある。このため、上記定着装置においては、一対の保持部材の少なくとも一方をその他方の保持部材のある側にむけて弾性的に押し付ける押付け部材を具備する構成にすることが好ましい。
【００１３】
【発明の実施の形態】
《実施の形態１》
実施の形態１に係る定着装置は、図１、２等に示すように、記録用紙Ｐに電子写真方式等を利用して形成されるトナーからなる未定着像Ｔを定着させる加熱ロール２０と、この加熱ロール２０に圧接して上記未定着像を担持する記録用紙Ｐを通過させる定着ニップ部Ｎを形成する加圧ロール３０とでその主要部が構成されるロールニップ型の定着装置である。
【００１４】
図１ａ中の符号３５は記録用紙Ｐを定着ニップ部Ｎに案内するための導入用ガイド、３６は定着後の記録用紙Ｐを加熱ロール２０等から剥離させるための剥離つめ、３７は加熱ロール２０の表面温度を検出するための温度検出素子（温度センサの検出部）である。また、一点破線は記録用紙Ｐの搬送経路とその搬送方向を示す。
【００１５】
加熱ロール２０は、金属材料等からなる円筒状のロール基体とそのロール表面に形成される離型層などで構成されたものであり、本体フレーム１０にベアリング等の軸受１１により支持されることで回転可能に装着されている。また、この加熱ロール２０は、その一端部に駆動伝達ギヤ（図４の符号２１）が取り付けられており、その伝達ギヤに図示しない回転駆動装置からの動力が伝えられることで矢印方向に回転駆動する。
【００１６】
さらに、加熱ロール２０の内部空間には、加熱ロール２０を加熱するための外観がガラス筒からなる２本の電熱ランプ４０、５０が配置されている。この電熱ランプ４０、５０は、後述する取付け構造により取り付けられるとともに、温度検出素子３７からの検出情報や制御プログラムに応じて加熱動作が適宜制御されて加熱ロール２０の表面を所定の温度に保持するようになっている。
【００１７】
加圧ロール３０は、金属材料等からなる円筒状のロール基体とそのロール表面に形成される弾性層などで構成されたものであり、その両端部の軸が図示しない支持フレームにベアリング等の軸受１２により支持されることで回転可能に装着されている。また、この加圧ロール３０は、図示しないスプリング等を利用した加圧機構により加熱ロール２０にむけて所定の荷重で付勢されており、加熱ロール１０の回転に追従して矢印方向に回転する。
【００１８】
２本の電熱ランプ４０、５０は、内部空間にフィラメントを張架してなるガラス筒の両端部に封止部４１、５１を形成し、その封止部４１、５１にフィラメントの端部と接続されるリード端子を突出した状態で形成したものである。また、この電熱ランプ４０、５０は、そのフィラメントの巻き部の巻き数や位置などが異なる条件に設定されており、使用態様に応じた適切な条件の加熱を行うことができるようになっている。このような電熱ランプ４０、５０は、定着ニップ部Ｎを通過する記録用紙Ｐの搬送方向（図１ａの一点破線）とほぼ平行する状態に配置される。この場合、一方の電熱ランプ４０がその搬送方向の上流側に位置し、他方の電熱ランプ５０がその搬送方向の下流側に位置するように配置される。
【００１９】
そして、この２つの電熱ランプ４０、５０は、図２に示すように、所定の間隔をあけて平行な状態となるように並べられ、そのときの各ランプの両端部（封止部４１、５１）が一対の保持ベース６０Ａ、６０Ｂでそれぞれ同時に保持されて一体化されている。
【００２０】
保持ベース６０Ａ、６０Ｂは、セラミックス等の耐熱性材料にて形成されるものである。この例では、外観がほぼ長方体の形状からなる保持ベースとし、その一端面部から内部にランプの端部（封止部４１、５１）を内部に差し込んだ状態で保持し、その他端面部において各ランプのリード端子に弾性変形し得るフレキシブルな給電コード４５、５５を接続し固定している。給電コード４５、５５は、図示しない電源装置等から送られる加熱用の電力を最終的にランプ（フィラメント）に供給するためのものであり、その自由端部には他の電源コード等にさらに接続するためのコネクター４６、５６が取り付けられている。なお、この給電コード４５、５５は、外力を与えない限りは、電熱ランプの長手方向に沿って真っ直ぐに伸びた状態にある（図２参照）。
【００２１】
また、保持ベース６０Ａ、６０Ｂは、その外側端部が後述する第１支持フレームと第２支持フレームの取付け孔にそれぞれ嵌め込むための嵌込み部６１Ａ，６１Ｂとして形成されている。この嵌込み部６１Ａ、６１Ｂは、基本的に、保持ベースの本体部より少しくびれた形状であって、その本体部の端面よりも断面積が狭い楕円形の断面（ランプの長手方向と直交する面）からなるものである（図６ａ，図１０ａなど参照）。また、一方の嵌込み部６１Ａには、その外周面に、突出してランプの長手方向と同じ方向に延びる角棒状の突起６２が形成されている（図６ａなど参照）。
【００２２】
この定着装置では、電熱ランプ４０、５０を加熱ロール２０の内部空間に配置して取り付ける際、図１、２等に示すように、ランプ端部を保持する保持ベース６０Ａ、６０Ｂが加熱ロール２０の両端部から突出した状態となり、その保持ベース６０Ａ、６０Ｂを支持ブラケット７０と支持ホルダー８０とによってそれぞれ支持することで、電熱ランプ４０、５０の取付けを行う構造になっている。
【００２３】
支持ブラケット７０は、図４に示すように、板状の基材に裁断加工、折り曲げ加工等を施して形成してなるブラケット形態からなるものである。このブラケット７０のうち加熱ロール２０の端部と対向するような状態で配置される基材の中央部には、保持ベース６０Ａの嵌込み部６１Ａが嵌め込まれる長方形状の取付け孔７１（図６ｂなど参照）が形成されている。また、ブラケット７０のうち中央部から両側に伸び加熱ロール２０の端部付近に位置するように折り曲げられた基材端部には、支持ブラケット７０を本体フレーム１０に取り付けて固定するための係合用曲げ部７５やネジ止め用曲げ部７６が形成されている。
【００２４】
また、支持ブラケット７０における取付け孔７１の一部には、図４や図６ｂに示すように、ランプの取付け作業時に前記コネクター４６が取り付けられた給電コード４５を取付け孔７１に導き入れて通過させた状態にするために使用される切欠部７２が取付け孔７１と連通した状態で形成されている。さらに、取付け孔７１の一部には、保持ベース６０Ａの嵌込み部６１Ａに形成された前記突起６２のみが嵌め入れられる形状（この例では矩形状）の突起受孔７３が形成されている。
【００２５】
図４における符号７７は加熱ロール２０等の帯電を防止するための接地ブラシであり、この除電ブラシ７７は支持ブラケット７０を本体フレーム１０に取り付けた際に加熱ロール２０端部側に装備される導電性リング２２の一部に当接するようになっている。また、符号１３は支持ブラケット７０の係合用曲げ部７５が差し込まれる本体フレーム１０上の係合孔、１４は支持ブラケット７０のネジ止め用曲げ部７６を通して螺合されるネジ７８を受け入れる本体フレーム１０上のネジ孔である。
【００２６】
一方、支持ホルダー８０は、図８、図１０ｂ等に示すように加熱ロール２０の端部と対向する側の面が開口したボックス形態からなるものである。このホルダー８０は、保持ベース６０Ｂの嵌め込み部６１Ｂが一方向から嵌め入れられて収容される奥行きのある長方体状の空間からなる取付け穴８１が形成されている。また、このホルダー８０の上面部には、嵌め込み部６１Ｂに取り付けられている給電コード４５、５５を通過させてホルダー８０の外側に引き出すための２つのコード通し孔８２が平行な状態で形成されている。通し孔８２は、ホルダー上面部の後端部よりも少し手前の位置まで延びる直線状の開口部として形成されている。
【００２７】
また、この支持ホルダー８０は、加熱ロール２０の端部と対向して配置される支持フレーム１５に予め一体成形されるか又は適宜手段にて取り付けられて固定されている。また、支持フレーム１５は本体フレーム１０に固定されるようになっている。支持ホルダー８０が取り付けられる支持フレーム１５には、前記コード通し孔８２から引き出される給電コード４５、５５を挟んだ状態で保持するためのコード止め突起１６が形成されている。コード止め突起１６は、支持フレームの内面側に突出して下方に折り曲げられた断面Ｌ字形状の突起物として形成されている。
【００２８】
このような支持ブラケット７０と支持ホルダー８０に対する２つの電熱ランプ４０、５０の取付けは、次のようにして行われる。
【００２９】
まず、保持ベース６０Ａ，６０Ｂで一体化された電熱ランプ４０、５０を、本体フレーム１０に装着された加熱ロール２０の内部空間に配置するように挿入する。加熱ロール２０の両端部はいずれも開口された状態にあるが、その一方の端部は完全に開放された状態にあるのに対し、その他方の端部側は前記したように支持フレーム１５を介して支持ホルダー８０が所定の距離をあけて対向配置されている状態にある。
【００３０】
この定着装置では、電熱ランプ４０、５０の保持ベース６０Ｂがある側を、加熱ロール２０の完全に開放された状態にある端部側から差し入れるようになっている。次いで、この差し入れ作業により加熱ロール２０の反対側の端部から抜け出た状態となる保持ベース６０Ｂの嵌込み部６１Ｂを、図９に示すように支持ホルダー８０の取付け穴８１に嵌め込む。これにより、電熱ランプ４０、５０の一端部側が保持ベース６０Ｂを介して支持ホルダー８０に支持されることになる。
【００３１】
この保持ベース６０Ｂの嵌込み部６１Ｂを支持ホルダー８０の取付け穴８１に嵌め込む際には、図１２に示すように、その嵌込み部６１Ｂに取り付けられている給電コード４５、５５を支持ホルダー８０のコード通し孔８２を通過させてホルダー８０の外部に引き出し、その引き出したコード部分をコード止め突起１６に下方から差し入れて保持させるとともに、支持フレーム１５の所定の部位まで引き回した状態にしておく（図９）。
【００３２】
続いて、図４に示すように加熱ロール２０の他端部側から突出した状態にある他方の保持ベース６０Ａを支持ブラケット７０により支持する。すなわち、支持ブラケット７０を、その取付け孔７１に保持ベース６０Ａの嵌込み部６１Ａを嵌め込んだ後に本体フレーム１０に取り付けて固定する。
【００３３】
具体的には、図４や図５に示すように、支持ブラケット７０の係合用曲げ部７５を本体フレーム１０の係合開口部１３に差し込んで係合させた後、その取付け孔７１に保持ベース６０Ａの嵌込み部６１Ａを嵌め入れ、最後に、そのネジ止め用曲げ部７６を本体フレーム１０のネジ孔１４にネジ７８でもってネジ止めする。嵌込み部６１Ａを取付け孔７１に嵌め込む際には、図７等に示すように、嵌込み部６１Ａの下面側に設けられた突起６２が取付け孔７１の突起受孔７３に併せて嵌め込まれる。以上により、電熱ランプ４０、５０の他端部側が保持ベース６０Ａを介して支持ブラケット８０によって支持されることになる。
【００３４】
ここで、例えば、２つの電熱ランプ４０、５０を誤ってその長手方向に沿う直線Ｏを中心にして回転してその上下位置が逆になった状態で取り付けようとした場合には、その保持ベース６０Ｂの支持ホルダー８０への嵌めこみは取り敢えず可能であるものの、その保持ベース６０Ａの支持ブラケット７０への嵌め込みは突起６２が嵌込み部６１の上面側に位置して取付け孔７１の突起受孔７３と位置的に対応しない状態になるため不可能となる。また、２つの電熱ランプ４０、５０を誤ってその保持ベース６０Ａ側を先頭にした状態で取り付けようとした場合には、その保持ベース６０Ａの支持ホルダー８０への嵌めこみが突起６２の存在により不可能となる。これは、支持ホルダー８０の取付け穴８１に突起６２を受け入れる突起受孔が設けられていないからである。
【００３５】
つまり、この定着装置では、電熱ランプ４０、５０の取付け作業は、保持ベース６０Ａの突起６２が支持ブラケット７０の取付け孔７１に設けた突起受孔７３に嵌め込まれる状態で行われた場合にのみ可能になっている。この結果、２つの電熱ランプ４０、５０を位置的に正しい状態で簡便かつ的確に取り付けることができる。すなわち、電熱ランプ４０が定着ニップ部における記録用紙の搬送方向上流側に位置し、電熱ランプ５０がその搬送方向の下流側に位置するという正しい状態で取り付けられる。
【００３６】
そして、この定着装置では、２本の電熱ランプ４０、５０はその両端部が保持ベース６０Ａ，６０Ｂを介して支持ブラケット７０や支持ホルダー８０に嵌めこまれた状態で取り付けられ、しかも電熱ランプ４０、５０への給電が保持ベース６０Ａ，６０Ｂに固定されている給電コード４５、５５を介して行われる。
【００３７】
これにより、複数の電熱ランプ４０、５０は、従来技術のように給電端子を介してネジ止めされて取り付けるものではないため、スパーク等の発生のおそれもなく、安定した状態で取り付けられる。
【００３８】
また、この定着装置では、図１３に示すように、電熱ランプ４０、５０を取り付けた後の加熱ロール２０の一端部側に、その端部を含む所定の側面領域を覆うためのサイドカバー９０が取り付けられる。サイドカバー９０は、例えば、ネジ９１によって本体フレーム１０にネジ止めされる。図１３中の符号９２は取っ手である。
【００３９】
サイドカバー９０の加熱ロール２０と対向する側壁面には、そのカバー９０を取り付けた際に保持ベース６０Ａの一部に弾性的に当接する突出片９５が設けられている。突出片９５は、そのカバー側壁面の一部を矩形状に切り欠いてその自由端をカバー内面側に直角に折り曲げたごときのＬ字状の形態からなるものである。そして、カバー取付け時には、図１４に示すように、突出片９５の自由端部９５ａが支持ブラケット７０における切欠部７２を通して保持ベース６０Ａの一部に当接するようになっている。
【００４０】
これにより、突出片９５が設けられたサイドカバー９０を取り付けると、その突出片９５が保持ベース６０Ａの一部に当接して、その保持ベース６０Ａを他方の保持ベース６０Ｂにむけて所定の押圧力Ｆ１で弾性的に付勢することになる。この結果、図２等に示すように保持ベース６０Ａ，６０Ｂと支持ブラケット７０や支持ホルダー８０との間に遊び（余裕空間）αを予め設定している場合には、電熱ランプ４０、５０が保持ベース６０Ａ，６０Ｂの間でランプの長手方向に少し移動してガタ付くおそれがあるが、突出片９５の保持ベース６０Ａへの弾性的な当接により、電熱ランプ４０、５０が保持ベース６０Ａ，６０Ｂを介して支持ホルダー８０側に押し付けられるため、かかるガタ付きの発生が防止されるようになる。
【００４１】
しかも、この定着装置では、電熱ランプ４０、５０の保持ベース６０Ｂを支持ホルダー８０に嵌め込んで支持させる際、その保持ベース６０Ｂの給電コード４５、５５を、図１２ｂに示すように、支持ホルダー８０の取付け穴８１内で上方にむけて湾曲させてコード通し孔８２の後端部８２ａに押し付けるような状態に保持している。このため、弾性変形可能な給電コード４５、５５は、図１２ｂに示すようにその湾曲した部分において復元しようとする弾性力Ｆ２が発生する。この給電コード４５、５５の湾曲保持させている部分に発生する弾性力Ｆ２は、保持ベース６０Ｂをその反対側に位置する他方の保持ベース６０Ａにむけて押し付ける力として機能する。
【００４２】
これにより、給電コード４５、５５にて発生する弾性力Ｆ２が保持ベース６０Ｂに作用することにより、電熱ランプ４０、５０が保持ベース６０Ｂ，６０Ａを介して支持ブラケット７０側に押し付けられるため、これによっても前記した遊びαの存在に起因して発生するガタ付きが防止されるようになる。
【００４３】
さらに、この定着装置では、図６や図１０に示すように、保持ベース６０Ａ，６０Ｂの嵌込み部６１Ａ，６１Ｂの断面がいずれも楕円形状であるのに対して支持ブラケット７０の取付け孔７１と支持ホルダー８０の取付け穴８１の断面がいずれも長方形であるという嵌め込み形状の関係にある（図１０）。このため、図７や図１１に示すように、嵌込み部６１Ａ，６１Ｂと取付け孔７１や取付け穴８１との間に、嵌込み部６１Ａ，６１Ｂがランプの長手方向に沿う直線Ｏを中心にして回転する方向に変位し得る隙間Ｍが存在するようになる。
【００４４】
これにより、例えば、保持ベース６０Ａ，６０Ｂ（の嵌込み部６１Ａ，６１Ｂ）や、支持ブラケット７０、支持ホルダー８０（の取付け孔７１や取付け穴８１）等に寸法精度の公差があって嵌め合い状態にずれ（上記回転方向への位相のずれ）が存在していても、前記隙間Ｍの存在により、嵌込み部６１Ａ，６１Ｂを取付け孔７１や取付け穴８１に対してそのずれた状態のままで嵌め込むことができる。この結果、かかるずれ状態を解消するように保持ベース６０Ａ，６０Ｂ等を無理やりよじった状態にして嵌め込む必要がなく、しかも、そのよじれた状態での嵌め込みにより発生する負荷を２つの電熱ランプ４０、５０に与えてしまうこともない。
【００４５】
本実施の形態に係る定着装置においては、以上のようにして２つの電熱ランプ４０、５０が加熱ロール２０の内部空間に安定した状態で、しかも位置的に正しい状態で取り付けられるため、その電熱ランプ４０、５０により加熱ロール２０が所期の条件で正しく加熱されるようになる。これにより、定着時においては、この加熱された加熱ロール２０と加圧ロール３０の間である定着ニップ部Ｎに、未定着像Ｔが担持された記録用紙Ｐを通過させることにより、その未定着像Ｔが良好に加熱加圧されて用紙に定着されることとなる。
【００４６】
《他の実施の形態》
実施の形態１においては、突起６２を一方の保持ベース６０Ａに設けたが、かかる突起６２は保持ベース６０Ａに代えて保持ベース６０Ｂに設けたり、あるいは保持ベース６０Ａと保持ベース６０Ｂの双方に設けるようにしてもよい。この場合、その突起６２を設ける部位に応じて、その突起のみを嵌め込むための突起受孔を支持ブラケット７０や支持ホルダー８０の所定位置に設けるようにすればよい。
【００４７】
また、突起６２は、保持ベース６０Ａの嵌込み部６１Ａに設ける場合に限らず、保持ベース６０の本体部に設けるようにしてもよい。この場合、支持ブラケット７０の突起受孔７３については、取付け孔７１の一部に連通した状態で形成するのではなく、取付け孔７１とは異なる支持ブラケット７０の所定の部位に形成すればよい。
【００４８】
また、支持ブラケット７０と支持ホルダー８０は、保持ベース６０Ａ，６０Ｂを嵌め込んで支持する機能を果たすことができれば、その形態等についてはブラケット形態やホルダー形態以外の形成であっても構わない。
【００４９】
さらに、実施の形態１では、一対の保持ベース６０Ａ，６０Ｂの少なくとも一方をその他方の保持ベースのある側にむけて弾性的に押し付ける押付け部材として、湾曲状態に保持させる弾性変形可能な給電コード４５、５５や、サイドカバー９０に設けた突出片９５を例示したが、例えば板ばね部材、スプリング等を保持ベースに弾性的に当接させるように設置してそのベースを所定の方向に押し付ける専用の押付け部材として使用するように構成してもよい。
【００５０】
また、本発明における定着装置は、加熱ロール１０に代えて、定着ベルトを加熱ロールや駆動ロール等の支持ロールに張架させて回転させるベルト形態の定着回転体を適用したものであってもよい。この場合、その定着ベルトを加熱する加熱ロールの内部空間に配置する複数の電熱ランプの取付け構造として実施の形態１のごとき取付け構造を同様に採用することができる。その他、加熱ロール１０をその外周面に当接して回転しながら加熱する外部加熱ロールを有する定着装置にあっては、その外部加熱ロールを加熱する複数の電熱ランプの取付け構造として実施の形態１のごとき取付け構造を同様に採用することもできる。
【００５１】
加熱ロール１０を加熱する手段は、電熱式のランプに限らず、他の加熱形式のランプであってもよい。加圧ロール３０については、定着ニップ部Ｎを形成することができれるベルト形態等の加圧部材に変更しても構わない。
【００５２】
【発明の効果】
以上説明したように、本発明の定着装置によれば、定着回転体を加熱する複数の加熱用ランプを、スパーク等の発生のない安定した状態で、しかも位置的に正しい状態で簡便に取り付けることができる。この結果、その複数の加熱用ランプによって定着回転体を正しく安定して加熱することが可能になり、ひいては良好な定着を行うことが可能になる。
【図面の簡単な説明】
【図１】（ａ）は本発明に係る定着装置の主要部を示す概要図、（ｂ）は（ａ）の定着装置の一部断面図。
【図２】加熱ロールを加熱する２つの電熱ランプの取付け構造を示す概略断面図。
【図３】（ａ）は２つの電熱ランプの一体化構造を示す斜視図、（ｂ）は２つの電熱ランプの一端部における構造を示す平面図。
【図４】加熱ロールの内部空間に配置する電熱ランプの一端部側における取付け構造を示す分解斜視図。
【図５】図４の取付け構造の取り付けた後の状態を示す概略斜視図。
【図６】（ａ）は一方の保持ベースにおける嵌込み部側の構成を示す側面図、（ｂ）は支持ブラケットの取付け孔や突起受孔等の要部を示す側面図。
【図７】図６の保持ベースの嵌込み部を支持ブラケットの取付け孔に嵌め込んだ状態を示す側面図。
【図８】電熱ランプの他端部側における取付け構造を示す分解斜視図。
【図９】図８の取付け構造の取り付けた後の状態を示す概略斜視図。
【図１０】（ａ）は他方の保持ベースにおける嵌込み部側の構成を示す側面図、（ｂ）は支持ホルダーの取付け穴等の要部を示す側面図。
【図１１】図１０の保持ベースの嵌込み部を支持ホルダーの取付け穴に嵌め込んだ状態を示す側面図。
【図１２】（ａ）は図１０の保持ベースの嵌込み部を支持ホルダーの取付け穴に嵌め込む前の状態を示す一部断面図、（ｂ）は（ａ）の嵌め込んだ後における給電コードの状態を示す一部断面図。
【図１３】サイドカバーを取り付ける前の状態を示す分解斜視図とその一部（突出片）の拡大図。
【図１４】図１３のサイドカバーを取り付けたときの突出片の状態を示す要部説明図。
【図１５】従来のランプ取付け構造を示す斜視図。
【図１６】図１５の取付け構造における正しい取付け状態および誤った取付け状態を示す斜視図。
【符号の説明】
１０…加熱ロール（定着回転体）、４０，５０…電熱ランプ（加熱用ランプ）、４５，５５…給電コード、６０Ａ，６０Ｂ…保持ベース（保持部材）、６１Ａ，６１Ｂ…嵌込み部（保持部材の一部）、６２…突起、７０…支持ブラケット（支持部材）、７１…取付け孔（取付け部）、７３…突起受孔、８０…支持ホルダー、８１…取付け穴（取付け部）、９０…サイドカバー、９５…突出片（当接部材）、Ｐ…記録用紙（記録媒体）。
【図１】
2004145210.tif 000003
【図２】
2004145210.tif 000004
【図３】
2004145210.tif 000005
【図４】
2004145210.tif 000006
【図５】
2004145210.tif 000007
【図６】
2004145210.tif 000008
【図７】
2004145210.tif 000009
【図８】
2004145210.tif 000010
【図９】
2004145210.tif 000011
【図１０】
2004145210.tif 000012
【図１１】
2004145210.tif 000013
【図１２】
2004145210.tif 000014
【図１３】
2004145210.tif 000015
【図１４】
2004145210.tif 000016
【図１５】
2004145210.tif 000017
【図１６】
2004145210.tif 000018